(57)【要約】【課題】核燃料貯蔵プールの漏水検出方法及び核燃料貯蔵プールの補修方法において、核燃料貯蔵プールにおける漏水位置を容易に特定して補修可能とする。【解決手段】貯水槽２１の内面とライニング２２との間にエアを供給する工程と、ライニング２２におけるエアの漏洩位置からライニング２２の損傷部を特定する工程と、ライニング２２の損傷部を補修する工程とを設ける。【選択図】図１
2014066611.tif 000002
【特許請求の範囲】
【請求項１】
コンクリート製の貯水槽の内面に防水用ライニングが敷設されて構成され、内部に貯留される冷却水に核燃料を浸漬して貯蔵可能な核燃料貯蔵プールにおいて、
前記貯水槽の内面と前記防水用ライニングとの間にガスを供給する工程と、
前記防水用ライニングにおけるガスの漏洩位置から前記防水用ライニングの損傷部を特定する工程と、
を有することを特徴とする核燃料貯蔵プールの漏水検出方法。
【請求項２】
前記冷却水に発生するガス泡の発生位置から前記防水用ライニングの損傷部を特定することを特徴とする請求項１に記載の核燃料貯蔵プールの漏水検出方法。
【請求項３】
前記貯水槽の内面と前記防水用ライニングとの間に格子状をなす複数の溝部が設けられ、前記溝部に冷却水検出器が接続され、前記冷却水検出器が冷却水を検出すると、前記溝部にガスを供給することを特徴とする請求項１または２に記載の核燃料貯蔵プールの漏水検出方法。
【請求項４】
前記防水用ライニングにおけるガスの漏洩位置から前記防水用ライニングの損傷部の領域が特定されたら、非破壊検査により損傷箇所を特定することを特徴とする請求項１から３のいずれか一つに記載の核燃料貯蔵プールの漏水検出方法。
【請求項５】
コンクリート製の貯水槽の内面に防水用ライニングが敷設されて構成され、内部に貯留される冷却水に核燃料を浸漬して貯蔵可能な核燃料貯蔵プールにおいて、
前記貯水槽の内面と前記防水用ライニングとの間にガスを供給する工程と、
前記防水用ライニングにおけるガスの漏洩位置から前記防水用ライニングの損傷部を特定する工程と、
前記防水用ライニングの損傷部を補修する工程と、
を有することを特徴とする核燃料貯蔵プールの補修方法。
【請求項６】
前記防水用ライニングの損傷部に補修材を接着して補修することを特徴とする請求項５に記載の核燃料貯蔵プールの補修方法。
【請求項７】
前記防水用ライニングにおける補修済の損傷部と前記核燃料との間に遮へい部材を設けることを特徴とする請求項６に記載の核燃料貯蔵プールの補修方法。
【請求項８】
前記防水用ライニングの損傷部に補修板を溶接により固定して補修することを特徴とする請求項５に記載の核燃料貯蔵プールの補修方法。
【発明の詳細な説明】
【技術分野】
【０００１】
本発明は、複数の核燃料の集合体である燃料集合体を一時的に貯蔵する核燃料貯蔵プールの漏水検出方法、並びに、漏水が検出された核燃料貯蔵プールの補修方法に関するものである。
【背景技術】
【０００２】
原子力発電プラントに使用される原子炉として、加圧水型原子炉や沸騰水型原子炉などがある。このような原子炉では、内部に多数の燃料集合体（核燃料）を配置すると共に、軽水を原子炉冷却材及び中性子減速材として使用し、核燃料が核分裂することで発生した熱により軽水を加熱し、この加熱された軽水（蒸気）により発電を行っている。
【０００３】
このような原子炉では、新たに使用する未使用の燃料集合体（燃料棒）や既に使用された使用済の燃料集合体（燃料棒）を一時的に貯蔵する燃料プールが原子炉建屋に設けられている。この燃料プールは、内部に核燃料貯蔵ラックが設置されており、多数の未使用の燃料集合体や使用済の燃料集合体を立てた状態で支持されている。このような核燃料貯蔵ラックは、一般的に、複数の隔壁を格子状に組み合わせることで複数のセルを形成し、この各セル内に燃料集合体を挿入して支持している。そして、燃料プールは、内部で使用済燃料集合体の崩壊熱を除去すると共に、放射線を遮へいするために水が満たされている。
【０００４】
このような燃料プールは、コンクリートにより形成された貯水槽の内面にステンレス鋼板により形成されたライニングが敷設されて構成されている。ところが、このステンレス鋼板製のライニングは、多数の溶接部が存在することから、長期の使用によりこの溶接部に割れが発生するおそれがある。そして、ライニングに割れが発生したときには、漏水を防止するために、その割れを補修する必要がある。燃料プールの補修方法としては、例えば、下記特許文献に記載されたものがある。特許文献１に記載された流体収容装置の内面の補修方法は、補修すべき箇所に薄板を接着剤により接着するものである。また、特許文献２に記載されたピットの補修方法は、既設のライニング材をライニングパネルにより覆うように取付けるものである。
【先行技術文献】
【特許文献】
【０００５】
【特許文献１】特公平０７−０４００７５号公報
【特許文献２】特開２００４−１５４８３８号公報
【発明の概要】
【発明が解決しようとする課題】
【０００６】
上述した燃料プールは、上述したように、コンクリート製の貯水槽の内面にステンレス鋼板製のライニングが敷設されて構成されており、このステンレス鋼板製のライニングに割れが発生しやすい。ところが、燃料プールは、内部に冷却水が貯留されていることから、損傷箇所を特定することが困難である。上述したピットの補修方法では、既設のライニング材をライニングパネルにより覆うように取付けることから、ライニング材を部分的に補修する必要がなくなるものである。しかし、この場合、大きなライニングパネルが必要となり、また、溶接範囲も広くなることから、施工コストが増加してしまうという問題がある。
【０００７】
本発明は上述した課題を解決するものであり、核燃料貯蔵プールにおける漏水位置を容易に特定して補修可能とする核燃料貯蔵プールの漏水検出方法及び核燃料貯蔵プールの補修方法を提供することを目的とする。
【課題を解決するための手段】
【０００８】
上記の目的を達成するための本発明の核燃料貯蔵プールの漏水検出方法は、コンクリート製の貯水槽の内面に防水用ライニングが敷設されて構成され、内部に貯留される冷却水に核燃料を浸漬して貯蔵可能な核燃料貯蔵プールにおいて、前記貯水槽の内面と前記防水用ライニングとの間にガスを供給する工程と、前記防水用ライニングにおけるガスの漏洩位置から前記防水用ライニングの損傷部を特定する工程と、を有することを特徴とするものである。
【０００９】
従って、貯水槽の内面と防水用ライニングとの間にガスを供給し、防水用ライニングにおけるガスの漏洩位置から防水用ライニングの損傷部を特定する。即ち、貯水槽と防水用ライニングとの間にガスを供給するだけで、そのガスの漏洩位置から防水用ライニングの損傷部を特定することができ、検査装置などを用いることなく、核燃料貯蔵プールにおける漏水位置を容易に特定することができる。
【００１０】
本発明の核燃料貯蔵プールの漏水検出方法では、前記冷却水に発生するガス泡の発生位置から前記防水用ライニングの損傷部を特定することを特徴としている。
【００１１】
従って、防水用ライニングに損傷部があれば、冷却水に発生するガス泡の発生位置からこの損傷部を特定することができ、漏水検出作業の作業性を向上することができる。
【００１２】
本発明の核燃料貯蔵プールの漏水検出方法では、前記貯水槽の内面と前記防水用ライニングとの間に格子状をなす複数の溝部が設けられ、前記溝部に冷却水検出器が接続され、前記冷却水検出器が冷却水を検出すると、前記溝部にガスを供給することを特徴としている。
【００１３】
従って、貯水槽と防水用ライニングとの間に設けられた溝部への冷却水の流出が検出されたら、溝部にガスを供給し、そのガスの漏洩位置から防水用ライニングの損傷部を特定することができ、常時貯水槽と防水用ライニングとの間にガスを供給する必要はなく、漏水検出作業の作業性を向上することができる。
【００１４】
本発明の核燃料貯蔵プールの漏水検出方法では、前記防水用ライニングにおけるガスの漏洩位置から前記防水用ライニングの損傷部の領域が特定されたら、非破壊検査により損傷箇所を特定することを特徴としている。
【００１５】
従って、防水用ライニングからのガス漏れの位置により損傷部の領域を特定し、その領域で非破壊検査を行うことで、防水用ライニングの損傷箇所を短時間で高精度に特定することができる。
【００１６】
また、本発明の核燃料貯蔵プールの補修方法は、コンクリート製の貯水槽の内面に防水用ライニングが敷設されて構成され、内部に貯留される冷却水に核燃料を浸漬して貯蔵可能な核燃料貯蔵プールにおいて、前記貯水槽の内面と前記防水用ライニングとの間にガスを供給する工程と、前記防水用ライニングにおけるガスの漏洩位置から前記防水用ライニングの損傷部を特定する工程と、前記防水用ライニングの損傷部を補修する工程と、を有することを特徴とするものである。
【００１７】
従って、貯水槽の内面と防水用ライニングとの間にガスを供給し、防水用ライニングにおけるガスの漏洩位置から防水用ライニングの損傷部を特定し、この損傷部を補修する。即ち、貯水槽と防水用ライニングとの間にガスを供給するだけで、そのガスの漏洩位置から防水用ライニングの損傷部を特定することができ、検査装置などを用いることなく、核燃料貯蔵プールにおける漏水位置を容易に特定し、補修することができる。
【００１８】
本発明の核燃料貯蔵プールの漏水補修方法では、前記防水用ライニングの損傷部に補修材を接着して補修することを特徴としている。
【００１９】
従って、防水用ライニングの損傷部に対して補修材を接着して補修することで、損傷部を短時間で容易に補修することができる。
【００２０】
本発明の核燃料貯蔵プールの補修方法では、前記防水用ライニングにおける補修済の損傷部と前記核燃料との間に遮へい部材を設けることを特徴としている。
【００２１】
従って、防水用ライニングにおける補修済の損傷部と核燃料との間に遮へい部材を設けることで、核燃料の放射線が補修済の損傷部に直接照射されることがなく、補修済の損傷部の耐久性を向上することができる。
【００２２】
本発明の核燃料貯蔵プールの補修方法では、前記防水用ライニングの損傷部に補修板を溶接により固定して補修することを特徴としている。
【００２３】
従って、防水用ライニングの損傷部に補修板を溶接により固定して補修することで、貯水槽に貯留されている冷却水により、溶接電極を冷却するための冷却装置が不要となり、溶接装置の小型化及び低コスト化を可能とすることができる。
【発明の効果】
【００２４】
本発明の核燃料貯蔵プールの漏水検出方法及び核燃料貯蔵プールの補修方法によれば、貯水槽の内面と防水用ライニングとの間にガスを供給し、防水用ライニングにおけるガスの漏洩位置から防水用ライニングの損傷部を特定し、この損傷部を補修するので、核燃料貯蔵プールにおける漏水位置を容易に特定し、補修することができる。
【図面の簡単な説明】
【００２５】
【図１】図１は、本発明の一実施例に係る核燃料貯蔵プールの漏水検出方法を表す概略図である。
【図２】図２は、核燃料貯蔵プールの構造を表す断面図である。
【図３−１】図３−１は、核燃料貯蔵プールの補修方法を表す概略図である。
【図３−２】図３−２は、別の核燃料貯蔵プールの補修方法を表す概略図である。
【図４】図４は、核燃料貯蔵プールの漏水検出方法及び補修方法を表すフローチャートである。
【図５】図５は、原子炉格納容器を表す概略図である。
【図６】図６は、核燃料貯蔵プールを表す概略図である。
【発明を実施するための形態】
【００２６】
以下に添付図面を参照して、本発明に係る核燃料貯蔵プールの漏水検出方法及び核燃料貯蔵プールの補修方法の好適な実施例を詳細に説明する。なお、この実施例により本発明が限定されるものではなく、また、実施例が複数ある場合には、各実施例を組み合わせて構成するものも含むものである。
【実施例】
【００２７】
図１は、本発明の一実施例に係る核燃料貯蔵プールの漏水検出方法を表す概略図、図２は、核燃料貯蔵プールの構造を表す断面図、図３−１は、核燃料貯蔵プールの補修方法を表す概略図、図３−２は、別の核燃料貯蔵プールの補修方法を表す概略図、図４は、核燃料貯蔵プールの漏水検出方法及び補修方法を表すフローチャート、図５は、原子炉格納容器を表す概略図、図６は、核燃料貯蔵プールを表す概略図である。
【００２８】
核燃料貯蔵ラックは、原子力発電プラントの原子炉建屋に設けられる燃料プール（核燃料貯蔵プール）に設置されるものである。そして、原子力発電プラントは、加圧水型原子炉（ＰＷＲ：Pressurized Water Reactor）や沸騰水型原子炉（ＢＷＲ：Boiling Water Reactor）の原子炉が設けられている。加圧水型原子炉は、軽水を原子炉冷却材及び中性子減速材として使用し、一次系全体にわたって沸騰しない高温高圧水とし、この高温高圧水を蒸気発生器に送って熱交換により蒸気を発生させ、この蒸気をタービン発電機へ送って発電するものである。一方、沸騰水型原子炉は、軽水を原子炉冷却材及び中性子減速材として使用し、この軽水を炉心で沸騰させて蒸気を発生させ、この蒸気を直接タービン発電機に送って発電するものである。
【００２９】
本実施例では、加圧水型原子炉を有する原子力発電プラントにおいて、原子炉建屋に設けられる燃料プールに核燃料貯蔵ラックが設置され、この核燃料貯蔵ラックに使用前または使用済の燃料集合体（燃料棒）が支持されたものについて説明する。なお、原子力発電プラントに限らず、核燃料再処理施設などに設けられた燃料プールに適用することもできる。
【００３０】
加圧水型原子炉を有する原子力発電プラントにおいて、図５に示すように、原子炉格納容器１１は、内部に加圧水型原子炉１２、蒸気発生器１３、加圧器１４などが収容されており、加圧水型原子炉１２と蒸気発生器１３は冷却水配管を介して連結され、一方の冷却水配管に加圧器１４が設けられ、他方の冷却水配管に冷却水ポンプが設けられている。従って、加圧水型原子炉１２にて、燃料として低濃縮ウランまたはＭＯＸにより一次冷却水として軽水が加熱され、高温の一次冷却水が加圧器１４により所定の高圧に維持された状態で冷却水配管を通して蒸気発生器１３に送られる。この蒸気発生器１３では、高圧高温の一次冷却水と二次冷却水との間で熱交換が行われ、冷やされた一次冷却水は冷却水配管を通して加圧水型原子炉１２に戻される。
【００３１】
原子炉格納容器１１は、隣接して燃料取扱建屋（原子炉建屋）１５が設置され、この燃料取扱建屋１５内に燃料プール１６が設けられており、この燃料プール１６の内部に核燃料貯蔵ラック１７が設置されている。この核燃料貯蔵ラック１７は、加圧水型原子炉１２で使用された使用済の燃料（燃料集合体）やこれから使用する使用前の燃料（燃料集合体）を一時的に貯蔵するものであり、この核燃料貯蔵ラック１７に貯蔵された燃料は、燃料プール１６に充填されて循環する冷却水に浸漬されて冷却可能となっている。
【００３２】
燃料プール１６は、図１及び図６に示すように、コンクリートにより形成された所定深さを有する貯水槽２１の内面にステンレス鋼板製のライニング２２が敷設されており、コンクリートの貯水槽２１により遮へい処理がなされ、ステンレス鋼板製のライニング２２により止水処理がなされ、その内側に冷却水が貯留されて構成されている。核燃料貯蔵ラック１７は、この燃料プール１６の床面に載置され、冷却水に浸漬可能となっている。この場合、核燃料貯蔵ラック１７は、複数が燃料プール１６の壁面から所定距離をあけて載置されると共に、互いに所定隙間をあけて載置されている。
【００３３】
核燃料貯蔵ラック１７は、底付の四角筒形状をなし、上方が開口しており、内部に複数の四角管が均等間隔で配置され、溶接により固定されることで、燃料を鉛直方向に沿って上方から挿入可能な複数のセルが形成されている。このセルは、隣接するもの同士が連通するように図示しない連通孔が形成されており、各セル間で冷却水の流通が可能となっている。なお、核燃料貯蔵ラック１７は、この構成に限定されるものではなく、枠体の内部に格子状をなす支持壁を設けたものであってもよく、また、自立式に限らず、燃料プール１６の壁面に支持するようにしたものでもよい。
【００３４】
このように構成された燃料プール１６は、長期間の使用により、ステンレス鋼板製のライニング２２に割れが発生することがあり、この割れが発生したときには、冷却水の漏洩が発生するだけでなく、放射線が漏洩するおそれがあることから、割れなどの損傷部を検出して補修する必要がある。
【００３５】
燃料プール１６は、図１及び図２に示すように、貯水槽２１の内面とライニング２２との間、つまり、貯水槽２１の内面に格子状をなす複数の溝部３１が設けられている。この溝部３１は、例えば、ライニング２２同士を溶接により連結する連結部（溶接部）２２ａの両側に設けられるものであり、所定間隔で複数設けられている。そして、貯水槽２１は、内面に設けられた複数の金具２１ａを介してライニング２２が敷設されており、貯水槽２１の内面とライニング２２との間に空間部Ｓが設けられている。この場合、この格子状の溝部３１は、燃料プール１６における貯水槽２１の底面や各壁面に形成されており、各溝部３１は、全てが連通するように形成されている。なお、溝部３１を貯水槽２１の底面だけで連通させたり、壁面だけで連通させたり、所定の領域だけ連通するように形成してもよい。
【００３６】
各溝部３１は、１つの連結配管３２の一端部が連結され、この連結配管３２は、他端部が分岐して第１分岐配管３３が接続され、この第１分岐配管３３は、開閉弁３４と冷却水検出器３５が接続されている。従って、燃料プール１６の長期間の使用により、ライニング２２やその連結部２２ａに割れが発生すると、この割れから冷却水が漏れ、貯水槽２１とライニング２２との間、つまり、各溝部３１に流出する。すると、各溝部３１に流出した冷却水は、連結配管３２から第１分岐配管３３を通して冷却水検出器３５に流れることとなり、冷却水検出器３５が冷却水を検出することで、ライニング２２からの漏水、つまり、ライニング２２の損傷を検出することができる。なお、各溝部３１に流出した冷却水が連結配管３２から第１分岐配管３３を通して冷却水検出器３５に流れるように、溝部３１と連結配管３２と第１分岐配管３３の勾配を設定しておく。また、通常は、開閉弁３４を開放状態としておく。
【００３７】
このように燃料プール１６におけるライニング２２の損傷が検出されたとき、本実施例の核燃料貯蔵プールの漏水検出方法は、貯水槽２１の内面とライニング２２との間にエア（ガス）を供給する工程と、ライニング２２におけるエアの漏洩位置からライニング２２の損傷部を特定する工程とを有している。そして、本実施例の核燃料貯蔵プールの補修方法は、上記２つの工程に加えて、ライニング２２の損傷部を補修する工程を有している。
【００３８】
即ち、連結配管３２は、他端部が分岐して第２分岐配管３６が接続され、この第２分岐配管３６は、開閉弁３７と供給ポンプ３８とエアタンク３９が接続されている。この場合、供給ポンプ３８とエアタンク３９に代えて、圧縮エアタンクとしてもよい。即ち、第２分岐配管３６にエアを供給することができる構成であればよい。なお、エアに代えて不活性ガスとしてもよい。
【００３９】
従って、冷却水検出器３５が冷却水を検出することで、ライニング２２からの漏水、ライニング２２の損傷を検出したら、開閉弁３４を閉止する一方、開閉弁３７を開放して供給ポンプ３８を作動し、エアタンク３９内のエアを第２分岐配管３６から連結配管３２を通して溝部３１、つまり、貯水槽２１とライニング２２との空間部Ｓに供給する。すると、ライニング２２における損傷部からエア泡が発生することから、冷却水に発生するエア泡の発生位置からライニング２２の損傷部を特定する。そして、ライニング２２におけるエア泡の発生位置からライニング２２の損傷部の領域が特定されたら、非破壊検査により損傷箇所を特定する。
【００４０】
このライニング２２における損傷部を補修する補修方法としては、例えば、損傷部に対して補修材を接着して補修する方法や損傷部に対して補修板を溶接により固定して補修する方法などがある。
【００４１】
ライニング２２における損傷部に対して補修材を接着して補修する方法において、図３−１に示すように、ライニング２２に損傷部Ｄが検出されると、この損傷部Ｄの表面にエポキシ樹脂製の接着剤を塗布することで、ライニング２２（損傷部Ｄ）の表面にエポキシ系の補修層４１を形成する。そして、このライニング２２における補修済の損傷部Ｄ、つまり、補修層４１と核燃料貯蔵ラック１７との間に遮へい板（遮へい部材）４２を配置し、吊具４３により支持する。従って、ライニング２２の損傷部Ｄがエポキシ系の補修層４１により補修されて止水されると共に、この補修層４１が遮へい板４２により核燃料貯蔵ラック１７の燃料から照射される放射線から保護される。なお、燃料プール１６ライニング２２の壁部に損傷部Ｄがあった場合について説明したが、底部にあった場合でも同様に補修することができ、この場合、損傷部Ｄの上に遮へい板を載置して補修することとしてもよい。
【００４２】
また、ライニング２２における損傷部に補修板を溶接により固定して補修する方法において、図３−２に示すように、ライニング２２に損傷部Ｄが検出されると、この損傷部Ｄの表面に補修板５１がシーム溶接装置５２により固定される。この補修板５１は、耐腐食性に優れた、例えば、ステンレス鋼板である。また、シーム溶接装置５２は、装置本体５３から下方に延出されるブラケット５４によりローラ電極（溶接電極）５５が支持軸５６により回転自在に支持されて構成されている。そして、装置本体５３を図示しない移動装置により移動することで、ローラ電極５５を補修板５１の端部に沿って転動し、このとき、ローラ電極５５を補修板５１に加圧しながら電流を流すことで、補修板５１を溶融して溶着部Ｗを形成し、ライニング２２に固定する。従って、ライニング２２の損傷部Ｄが補修板５１により補修されて止水されると共に、核燃料貯蔵ラック１７の燃料から照射される放射線から保護される。なお、シーム溶接に限らず、スポット溶接であってもよい。
【００４３】
ここで、本実施例の核燃料貯蔵プールの漏水検出方法及び核燃料貯蔵プールの補修方法について、図４のフローチャートを用いて詳細に説明する。
【００４４】
図１に示すように、燃料プール１６にて、複数連通する溝部３１は、連結配管３２及び第１分岐配管３３を介して冷却水検出器３５が接続されており、通常、開閉弁３４が開放されている。図１及び図４に示すように、ステップＳ１１にて、冷却水検出器３５がライニング２２からの漏水を検出しており、ライニング２２からの漏水がなければ、この状態が維持される。一方、冷却水検出器３５がライニング２２からの漏水を検出すると、ステップＳ１２にて、開閉弁３４を閉止する一方、開閉弁３７を開放し、供給ポンプ３８を作動してエアを第２分岐配管３６から連結配管３２を通して溝部３１、つまり、貯水槽２１とライニング２２との空間部Ｓに供給する。ステップＳ１３にて、この空間部Ｓにエアが供給されると、ライニング２２における損傷部から冷却水中にエア泡が発生することから、このエア泡の発生位置に基づいてライニング２２の損傷部の領域を特定する。
【００４５】
ライニング２２における損傷部の領域が特定されたら、この損傷部を補修するために、ステップＳ１４にて、燃料プール１６の核燃料貯蔵ラック１７に支持されている燃料（燃料集合体）のうち、損傷部の領域近傍に位置する燃料を別の核燃料貯蔵ラック１７に移動すると共に、ステップＳ１５にて、損傷部の領域近傍に位置する核燃料貯蔵ラック１７を別の位置や別の燃料プール１６に移動する。
【００４６】
そして、ステップＳ１６にて、漏水が検出されたライニング２２における損傷部の所定領域に対して非破壊検査により損傷箇所を特定する。この非破壊検査としては、目視試験（ＶＴ：Ｖｉｓｕａｌ  Ｔｅｓｔｉｎｇ）や渦電流探傷試験（ＥＴ：Ｅｄｄｙ  Ｃｕｒｒｅｎｔ  Ｔｅｓｔｉｎｇ）などの手法を用いるのが好ましい。そして、非破壊検査によりライニング２２における損傷箇所が特定されたら、ステップＳ１７にて、前述したように、損傷部に対して補修材を接着して補修したり、損傷部に対して補修板を溶接により固定して補修したりする。
【００４７】
損傷部の補修が完了したら、ステップＳ１８にて、移動した核燃料貯蔵ラック１７を元の位置や元の燃料プール１６に戻し、ステップＳ１９にて、移動した燃料（燃料集合体）を元の核燃料貯蔵ラック１７に戻す。
【００４８】
このように本実施例の核燃料貯蔵プールの漏水検出方法にあっては、貯水槽２１の内面とライニング２２との間にエアを供給する工程と、ライニング２２におけるエアの漏洩位置からライニング２２の損傷部を特定する工程とを設けている。
【００４９】
従って、貯水槽２１の内面とライニング２２との空間部Ｓにエアを供給し、ライニング２２におけるエアの漏洩位置からライニング２２の損傷部を特定する。即ち、貯水槽２１とライニング２２との空間部Ｓにエアを供給するだけで、そのエアの漏洩位置からライニング２２の損傷部を特定することができ、別途、検査装置などを用いることなく、燃料プール１６における漏水位置を容易に特定することができる。
【００５０】
本実施例の核燃料貯蔵プールの漏水検出方法では、冷却水に発生するエア泡の発生位置からライニング２２の損傷部を特定している。従って、ライニング２２に損傷部があれば、冷却水に発生するエア泡の発生位置からこの損傷部を特定することができ、漏水検出作業の作業性を向上することができる。
【００５１】
本実施例の核燃料貯蔵プールの漏水検出方法では、貯水槽２１の内面とライニング２２との空間部Ｓに格子状をなす複数の溝部３１を設け、この溝部３１に連結配管３２を介して冷却水検出器３５を接続し、冷却水検出器３５が冷却水を検出すると、溝部３１にエアを供給するようにしている。従って、貯水槽２１とライニング２２との間に設けられた溝部３１への冷却水の流出が検出されたら、溝部３１にエアを供給し、そのエアの漏洩位置からライニング２２の損傷部を特定することができ、常時、貯水槽２１とライニング２２との間にエアを供給する必要はなく、漏水検出作業の作業性を向上することができる。
【００５２】
本実施例の核燃料貯蔵プールの漏水検出方法では、ライニング２２におけるエアの漏洩位置からライニング２２の損傷部の領域が特定されたら、非破壊検査により損傷箇所を特定するようにしている。従って、損傷部の領域に対して非破壊検査を行うことで、ライニング２２の損傷箇所を短時間で高精度に特定することができる。
【００５３】
また、本実施例の核燃料貯蔵プールの補修方法にあっては、貯水槽２１の内面とライニング２２との間にエアを供給する工程と、ライニング２２におけるエアの漏洩位置からライニング２２の損傷部を特定する工程と、ライニング２２の損傷部を補修する工程とを設けている。
【００５４】
従って、貯水槽２１の内面とライニング２２との空間部Ｓにエアを供給し、ライニング２２におけるエアの漏洩位置からライニング２２の損傷部を特定する。即ち、貯水槽２１とライニング２２との空間部Ｓにエアを供給するだけで、そのエアの漏洩位置からライニング２２の損傷部を特定することができ、別途、検査装置などを用いることなく、燃料プール１６における漏水位置を容易に特定し、補修することができる。
【００５５】
本実施例の核燃料貯蔵プールの補修方法では、ライニング２２の損傷部Ｄに補修材を接着して補修している。従って、損傷部Ｄを短時間で容易に補修することができる。
【００５６】
本実施例の核燃料貯蔵プールの補修方法では、ライニング２２における補修済の損傷部Ｄと核燃料貯蔵ラック１７との間に遮へい板４２を設けている。従って、特に、ライニング２２の損傷部Ｄをエポキシ系の補修層４１により補修した場合に、補修層４１（損傷部Ｄ）と核燃料貯蔵ラック１７との間に遮へい板４２を設けることで、核燃料貯蔵ラック１７に支持された燃料の放射線が補修層４１（損傷部Ｄ）に直接照射されることがなく、補修層４１の耐久性を向上することができる。
【００５７】
本実施例の核燃料貯蔵プールの補修方法では、ライニング２２の損傷部Ｄに補修板５１をシーム溶接により固定して補修している。従って、燃料プール１６に貯留されている冷却水によりローラ電極５５が冷却されることから、このローラ電極５５を冷却するための冷却装置が不要となり、溶接装置の小型化及び低コスト化を可能とすることができる。
【００５８】
なお、本発明の核燃料貯蔵プールの漏水検出方法及び核燃料貯蔵プールの補修方法は、上述した実施例で説明した燃料プール１６や核燃料貯蔵ラック１７の構成に限定されるものではなく、核燃料を冷却水に浸漬した状態で冷却、貯蔵することができれば、どのような構成であってもよい。
【符号の説明】
【００５９】
１１  原子炉格納容器
１２  加圧水型原子炉
１３  蒸気発生器
１６  燃料プール（核燃料貯蔵プール）
１７  核燃料貯蔵ラック
２１  貯水槽
２２  ライニング
３１  溝部
３２  連結配管
３３，３６  分岐配管
３４，３７  開閉弁
３５  冷却水検出器
３８  供給ポンプ
３９  エアタンク
４１  補修層
４２  遮へい板（遮へい部材）
５１  補修板
【図１】
2014066611.tif 000003
【図２】
2014066611.tif 000004
【図３−１】
2014066611.tif 000005
【図３−２】
2014066611.tif 000006
【図４】
2014066611.tif 000007
【図５】
2014066611.tif 000008
【図６】
2014066611.tif 000009